(57)【要約】【課題】意匠組合せパネルにおいて、マウント部にモジュールパネルを磁力によって任意の位置に配置保持するときに、意匠性を維持しながら十分な配置保持力を確保することである。【解決手段】意匠組合せパネル１０は、背景意匠を有する背景シートが貼付され、内部に鉄板シートを内蔵するマウント部２０と、個別意匠を有する個別意匠シートが貼着され、裏側に磁石が埋め込まれその上を裏面シートで覆われる小型のモジュールパネル４０，４１を備えて構成される。モジュールパネル４０，４１は、磁石の磁力によってマウント部２０に内蔵される鉄板シートに吸着され、マウント部２０の背景意匠に合わせて、モジュールパネル４０，４１の個別意匠を着脱自在に適当な配置位置に配置される。【選択図】図１
0003145496.tif 000002
【実用新案登録請求の範囲】
【請求項１】
複数の厚み枠材を組み合わせて形成されるマウント枠の表面側に鉄板シートを取り付け、鉄板シートの表面とマウント枠の側面とを覆って背景意匠を有する背景シートが貼付され、全体として予め定めたマウント厚さの直方板状形状を有するマウント部と、
マウント部の背景意匠の意匠面積よりも小さな意匠面積の個別意匠を有し、マウント部の表面に磁力によって着脱自在に配置することができ、全体として予め定めたモジュール厚さの直方板状形状を有する複数種類のモジュールパネルと、
を備え、
各モジュールパネルは、
複数の厚み枠材を組み合わせて形成される外形枠と、磁石を埋め込む埋込穴を有する複数の磁石用枠材とが一体的に接続されるモジュール枠と、
個別意匠を有し、モジュール枠の少なくとも表面と側面とを覆って貼着される個別意匠シートと、
埋込穴のある面を裏面として、モジュール枠の裏面全体を覆って貼着される裏面シートと、
裏面シートに覆われた内側において、各磁石用枠材の埋込穴に表面を露出させながら裏面と側面とがそれぞれ埋め込まれて固定される複数の磁石であって、少なくとも背景シートと裏面シートとを介して鉄板シートに磁力で吸引したときに、モジュールパネルの質量を保持するのに十分な磁気吸引力を全体として発生できる大きさを有する複数の磁石と、
を含むことを特徴とする意匠組合せパネル。
【請求項２】
請求項１に記載の意匠組合せパネルにおいて、
マウント部に設けられ、少なくとも１つのモジュールパネルが配置されたマウント部を吊り下げるための吊下取付部を備えることを特徴とする意匠組合せパネル。
【請求項３】
請求項１に記載の意匠組合せパネルにおいて、
マウント部を構成する各厚み枠材と、モジュールパネルを構成する各厚み枠材とは、木材または竹材または紙材で構成されることを特徴とする意匠組合せパネル。
【請求項４】
請求項１に記載の意匠組合せパネルにおいて、
磁石は、サマリウムコバルト磁石またはネオジウム磁石であることを特徴とする意匠組合せパネル。
【考案の詳細な説明】
【技術分野】
【０００１】
本考案は意匠組合せパネルに係り、特に、背景意匠を有するマウント部と、個別意匠を有するモジュールパネルとを組み合わせる意匠組合せパネルに関する。
【背景技術】
【０００２】
建物の内部の装飾のために、各種意匠図柄を有する額縁、パネル、屏風等が用いられる。これらの額縁等は、１つに付き１つの意匠図柄が展示されるが、この意匠図柄を時と場合に応じて変更できると便利である。
【０００３】
例えば、特許文献１には、多種類の表示体を容易に取り替えることができる額付き建具として、パネル等の建具の任意箇所に設けられた鉄板と、鉄板を表裏から挟みこむようにして装着される２枚の装飾部材と、鉄板を建具に固定するための固定部材を備え、これに裏面に固定される磁石を有する写真、絵画等の表示体を、鉄板の表裏のいずれの面にも磁石を介して装着することができる構成が述べられている。
【０００４】
特許文献２には、表示面を交換可能にした表示具として、厚さ３ｍｍ前後の樹脂板の中央部を皿状に窪ませて、外周に額縁部と内側に絵柄表示部を形成し、この絵柄表示部に絵柄を施した厚さ１ｍｍ程度の磁石シートを貼着し、これとは別に、厚さ０．１ｍｍ前後のスチールフィルムを厚さ３ｍｍ前後の軽量樹脂基材の両面に貼着した吸着板を作製し、磁石シートに着脱可能とする構成が述べられている。
【０００５】
【特許文献１】特開２００５−２６４６１７号公報
【特許文献２】特開２００４−３３０７６６号公報
【考案の開示】
【考案が解決しようとする課題】
【０００６】
上記のように、建物の内部の装飾のために、各種意匠図柄を有する額縁、パネル、屏風等が用いられ、特に広い内部空間の装飾には大きな寸法のパネル、屏風等が用いられる。これらの大型のパネル、屏風等は、その大きさに応じて高額なものとなり、豊富に種類を揃えることが困難なことが多い。また、これらの大型のパネル、屏風は質量も大きく、固定方法もしっかりしたものが要求されるので、その移動に負荷と時間を要することが多い。
【０００７】
このように、大型のパネル、屏風等で、意匠図柄を時と場合に応じて変更することができれば便利であり、その場合に、小型の意匠図柄パネルを用い、従来技術のように磁力を用いてこれを大型のパネル、屏風等の任意の位置に配置し、これによって意匠図柄の配置換えを行うことが考えられる。
【０００８】
これを実際に試みてみると、大型のためにいくつかの課題があることが分かった。１つは、大型のパネル、屏風等は、価格が高額であることもあって、表装が丁寧であり、その表装材によって磁石と鉄板との間の距離が離れ、十分な磁力を確保できないことが生じえる。また、大型のパネル、屏風等であるので、配置換えする小型のパネル等も相当な大きさとなり、その質量がかなりのもので、これを磁力で保持することがかなり困難なことが生じ得ることである。
【０００９】
このように、大型のパネル、屏風等のマウント部に、小型の意匠図柄のモジュールパネルを磁力によって時と場合に応じて任意の位置に配置保持するときに、意匠性を維持しながら十分な配置保持力を確保することが困難である。
【００１０】
本考案の目的は、マウント部にモジュールパネルを磁力によって任意の位置に配置保持するときに、意匠性を維持しながら十分な配置保持力を確保することを可能にする意匠組合せパネルを提供することである。
【課題を解決するための手段】
【００１１】
本考案に係る意匠組合せパネルは、複数の厚み枠材を組み合わせて形成されるマウント枠の表面側に鉄板シートを取り付け、鉄板シートの表面とマウント枠の側面とを覆って背景意匠を有する背景シートが貼付され、全体として予め定めたマウント厚さの直方板状形状を有するマウント部と、マウント部の背景意匠の意匠面積よりも小さな意匠面積の個別意匠を有し、マウント部の表面に磁力によって着脱自在に配置することができ、全体として予め定めたモジュール厚さの直方板状形状を有する複数種類のモジュールパネルと、を備え、各モジュールパネルは、複数の厚み枠材を組み合わせて形成される外形枠と、磁石を埋め込む埋込穴を有する複数の磁石用枠材とが一体的に接続されるモジュール枠と、個別意匠を有し、モジュール枠の少なくとも表面と側面とを覆って貼着される個別意匠シートと、埋込穴のある面を裏面として、モジュール枠の裏面全体を覆って貼着される裏面シートと、裏面シートに覆われた内側において、各磁石用枠材の埋込穴に表面を露出させながら裏面と側面とがそれぞれ埋め込まれて固定される複数の磁石であって、少なくとも背景シートと裏面シートとを介して鉄板シートに磁力で吸引したときに、モジュールパネルの質量を保持するのに十分な磁気吸引力を全体として発生できる大きさを有する複数の磁石と、を含むことを特徴とする。
【００１２】
また、本考案に係る意匠組合せパネルにおいて、マウント部に設けられ、少なくとも１つのモジュールパネルが配置されたマウント部を吊り下げるための吊下取付部を備えることが好ましい。
【００１３】
また、本発明に係る意匠組合せパネルにおいて、マウント部を構成する各厚み枠材と、モジュールパネルを構成する各厚み枠材とは、木材または竹材または紙材で構成されることが好ましい。
【００１４】
また、本発明に係る意匠組合せパネルにおいて、磁石は、サマリウムコバルト磁石またはネオジウム磁石であることが好ましい。
【考案の効果】
【００１５】
上記構成の少なくとも１つにより、意匠組合せパネルは、背景意匠を有する背景シートが貼付され内部に鉄板シートを含む大型のマウント部と、個別意匠を有する個別意匠シートが貼着され、裏側に磁石が埋め込まれその上が裏面シートで覆われる小型のモジュールパネルとを備える。
【００１６】
このように、大型のマウント部は、鉄板シートが背景シートに覆われて表面からは目視されず、またモジュールパネルの裏面の磁石も裏面シートに覆われて磁石が目視されることがなく、意匠性を十分に確保できる。
【００１７】
また、磁石は、少なくとも背景シートと裏面シートとを介して鉄板シートに磁力で吸引したときに、モジュールパネルの質量を保持するのに十分な磁気吸引力を全体として発生できる大きさを有するので、マウント部にモジュールパネルを磁力によって任意の位置に配置保持するときに、十分な配置保持力を確保することができる。
【００１８】
また、意匠組合せパネルにおいて、少なくとも１つのモジュールパネルが配置されたマウント部を吊り下げるための吊下取付部を備えるので、意匠組合せパネルを所望の位置に吊り下げ、その位置でモジュールパネルの種類を変更し、また、配置位置を変更することができる。
【００１９】
また、意匠組合せパネルにおいて、マウント部を構成する各厚み枠材と、モジュールパネルを構成する各厚み枠材とは、木材または竹材または紙材で構成される。これらは、１個製作に適している。勿論、大量に製作するときには、プラスチック成形品を用いるものとしてもよい。
【００２０】
また、意匠組合せパネルにおいて、磁石は、サマリウムコバルト磁石またはネオジウム磁石である。これらは、強磁力セラミック磁石の代表であるので、必要な配置保持力を得るための寸法を小型にできる。
【考案を実施するための最良の形態】
【００２１】
以下に図面を用いて本考案に係る実施の形態を詳細に説明する。以下で述べる形状、寸法、材質、意匠図柄等は説明のための一例であって、意匠組合せパネルの要求仕様に応じて適宜変更が可能である。
【００２２】
例えば、枠体の材質として、ラワン材を説明するが、勿論、ラワン以外の適当な木材を用いてもよい。また、木材以外に、竹材、紙材を用いてよく、これらを組み合わせて用いてもよい。
【００２３】
また、磁石として、直径約２０ｍｍ、厚さが約５ｍｍのネオジウム磁石を説明するが、これは、モジュールパネルが約３００ｇの質量を有し、磁石と鉄板シートの間に介在する紙の厚さが約０．４ｍｍの場合に、このモジュールパネルが重力でずり落ちないように設定した例である。磁石と鉄板シートの間に介在する紙等の厚さと、モジュールパネルの質量と、磁石材料の有する磁力の強さに応じて、磁石の寸法は変更可能である。また、同程度の磁力を有するものであれば、ネオジウム磁石以外の磁石であってもよい。例えば、サマリウムコバルト磁石を用いても、同様な寸法の磁石とすることができる。
【００２４】
以下では、全ての図面において同様の要素には同一の符号を付し、重複する説明を省略する。また、本文中の説明においては、必要に応じそれ以前に述べた符号を用いるものとする。
【００２５】
図１は、意匠組合せパネル１０の全体構成を説明する図である。意匠組合せパネル１０は、吊下部材１２を用いて、室内の天井部等から吊り下げることができる大型の装飾パネルである。意匠組合せパネル１０は、背景意匠を有する背景シートが貼付され、内部に鉄板シートを内蔵するマウント部２０と、個別意匠を有する個別意匠シートが貼着され、裏側に磁石が埋め込まれその上を裏面シートで覆われる小型のモジュールパネル４０，４１を備えて構成される。モジュールパネル４０，４１は、磁石の磁力によってマウント部２０に内蔵される鉄板シートに吸着できる。これによって、マウント部２０の背景意匠に合わせて、モジュールパネル４０，４１の個別意匠を着脱自在に適当な配置位置に配置することができる。図１では２種類のモジュールパネル４０，４１がマウント部２０に吸着配置されているが、これ以外にも他の意匠を有するモジュールパネルが用意され、時と場合に応じて、適当な意匠を有するモジュールパネルをマウント部２０の任意の位置に配置することができる。
【００２６】
図２は、マウント部２０の構造を説明する図である。図２の右側には、マウント部２０の正面図が一部破断面として示され、左側にはマウント部２０の側面断面図が示されている。マウント部２０は、複数の厚み枠材を組み合わせて形成されるマウント枠２２の表面側に、鉄板シート３０が取り付けられ、その鉄板シート３０の表面とマウント枠２２の側面とを覆って背景意匠を有する背景シート３２が貼付されて構成される。
【００２７】
マウント枠２２は、適当な厚さの木材の枠材を組み合わせて、全体として直方体の平面外枠形状が形成される枠体である。木材としては、パネル用木材、例えばラワン材等を用いることができる。寸法の一例を述べると、マウント枠２２の厚さを約１５ｍｍから約３０ｍｍ、平面図における外形枠寸法を横方向１８００ｍｍ、高さ方向９００ｍｍとできる。またこれより一回り小型のものとして、平面図における外形枠寸法を横方向１２００ｍｍ、高さ方向６００ｍｍとしてもよい。
【００２８】
マウント枠２２には、その裏面側に、枠材の組み合わせで適当な大きさの枠組空間２４が形成される。この枠組空間は、その枠組みを形成する枠材に適当な引掛部材２６を取り付けるためのものである。この引掛部材２６に、吊下部材１２の先端部が引っ掛けられる。枠組空間２４は、吊下部材１２の配置の自由度を考慮して、マウント枠２２に数箇所設けられる。図２の例では、枠組空間２４が４箇所、引掛部材２６が８箇所に設けられる。
【００２９】
ここで、マウント部２０の構成要素ではないが、マウント部２０を吊り下げるために用いられる吊下部材１２について説明する。吊下部材１２は、適当な吊下線材１３の一方端にフック１４が設けられ、他方端に取付部１５が設けられるものである。フック１４は、マウント枠２２の引掛部材２６に引っ掛けることができる形状を有しており、取付部１５は、例えば室内の天井等に設けられたスライド式の取付レールにはめ込んで、スライド可能に移動できる形状を有している。また、取付部１５等に吊下線材１３の長さを調整する機構が設けるものとできる。
【００３０】
かかる吊下部材１２は、額縁、パネル等の吊り下げ用に市販されているものを用いることができる。市販品には、吊下質量に応じて数種類の製品が揃えられているので、用途に応じ適当に選択することが可能である。
【００３１】
図２の鉄板シート３０は、マウント枠２２の表側、つまり背景シートが貼付される側に取り付けられ、モジュールパネル４０，４１に埋め込まれる磁石と協働して、磁力による吸引力を発生させる部材である。鉄板シートは金属である鉄材料の薄板であるので、マウント枠２２の外枠の大きさの寸法によっては、かなりの質量となる。例えば、厚さが０．１ｍｍとして、上記の１８００ｍｍ×９００ｍｍの平面寸法とすると、その体積が（１８０×９０×０．０１）ｃｍ3＝１６２ｃｍ3となる。これに鉄の比質量である７．８５ｇ／ｃｍ3を用いると、１２７１ｇとなる。
【００３２】
実際にマウント枠２２をラワン材で１８００ｍｍ×９００ｍｍ×２０ｍｍで作成し、市販されている亜鉛メッキ鉄板シートを取り付け、吊下部材１２で吊り下げ実験を行ってみると、亜鉛メッキ鉄板シートの厚さが０．３ｍｍでは吊下部材１２が２つでは不十分であることが分かった。したがって、マウント枠２２をラワン材で１８００ｍｍ×９００ｍｍ×２０ｍｍで作成する場合には、鉄板シート３０は、市販の規格品を用いるとして、０．１７ｍｍの厚さ以下であることが必要である。以下では、厚さ０．１７ｍｍの亜鉛メッキ鉄板で、片面の表面が白色コーティングされているものを鉄板シート３０として用いるものとする。表面が白色コーティングされているものを用いることで、鉄板シートの上に図柄のある背景シートを直接貼付しても、意匠上の問題の発生を抑制することができる。
【００３３】
鉄板シートと磁石に代えて、プラスチック磁石と鉄片あるいは磁石の組合せとして、マウント枠２２にプラスチック磁石を取り付けることにすれば、その質量は鉄板シートに比較し、大幅に軽量化できる。しかし、後述のように、モジュールパネル４０，４１はかなりの質量を有する上に、鉄板シートと磁石との間、プラスチック磁石と鉄片との間に配置される背景シートと裏面シートの厚さが約０．２ｍｍから約０．４ｍｍあり、プラスチック磁石と鉄片あるいは磁石の組合せでは、モジュールパネル４０，４１がマウント部２０に磁力によって十分保持できず、重力によって下方にずり落ちてしまう。したがって、プラスチック磁石を用いることができない。
【００３４】
鉄板シート３０は、マウント枠２２の表側に、適当な接着材を用いて取り付けられる。接着材に代えて、ネジ等の固定部材を用いて、マウント枠２２の適当な箇所で鉄板シート３０を取付け固定するものとしてもよい。
【００３５】
背景シート３２は、意匠図柄が印刷等によって表示されたシートで、素材としては、紙材を用いるのが好ましい。場合によっては、プラスチックシートを用いることができる。その厚さは、約０．１ｍｍから約０．３ｍｍ程度である。背景シート３２は、鉄板シート３０が取り付けられた表面と、マウント枠２２の４つの側面を覆うように貼付される。貼付には、適当な接着材を用いることができる。
【００３６】
マウント枠２２の裏面は、吊下部材１２をマウント部２０の裏面側に配置する場合にはシート材で覆わなくてもよいが、場合によって、枠組空間２４以外の裏面を適当な材質の裏面シートで覆うものとしてもよい。また、吊下部材１２をマウント部２０の上部に取り付け、マウント部２０の裏面も意匠面として用いることができる。この場合には、鉄板シート３０と、背景シート３２を、表面と同様に、マウント枠２２の裏側にも配置することになる。
【００３７】
図１には２種類のモジュールパネル４０，４１が示されている。ここでは、モジュールパネル４０は、月に雲の絵画的意匠図柄を有し、正面形状が正方形であり、モジュールパネル４１は、書を意匠として有し、正面形状が矩形である。このように、モジュールパネルは、マウント部２０の背景シート３２に示される意匠に合わせた複数種類の個別意匠を有する小型のパネルである。すなわち、モジュールパネルは、マウント部２０の背景意匠の意匠面積よりも小さな意匠面積の個別意匠を有し、マウント部２０の表面に磁力によって着脱自在に配置することができ、全体として予め定めたモジュール厚さの直方板状形状を有する複数種類の小型パネルである。
【００３８】
個別意匠としては、図１に示されるように、各種の絵画的意匠図柄、書の意匠、線、円等の幾何学的図形の意匠、場合によっては写真、コンピュータグラフィック等を意匠として用いることができる。また、モジュールパネルは、マウント部２０に埋め込むのではなく、その表面に配置するものであるので、モジュール厚さの分だけ個別意匠を浮き出して表示することができ、立体的な意匠効果が期待できる。
【００３９】
図３は、正方形の正面形状を有するモジュールパネル４０を例として、モジュールパネルの構造を説明する図である。図３の右側には、モジュールパネル４０の正面図が一部破断面として示され、左側にはモジュールパネル４０の側面断面図が示されている。
【００４０】
モジュールパネル４０は、複数の厚み枠材を組み合わせて形成されるモジュール枠５０と、個別意匠を有し、モジュール枠５０の表面と側面と裏面とを覆って貼着される個別意匠シートと４２と、個別意匠シート４２の内側で、モジュール枠５０の表面を覆う表面シート４４と、モジュール枠５０の裏面を覆う裏面シート４６と、裏面シート４６に覆われた内側において、モジュール枠５０に設けられた埋込穴に表面を露出させながら裏面と側面とがそれぞれ埋め込まれて固定される２つの磁石８０，８２を含んで構成される。
【００４１】
なお、図３では、モジュール枠５０の表面が表面シート４４で覆われるものとしたが、モジュール枠５０の表面は必ず個別意匠シート４２で覆われるものであるから、表面シート４４を省略してもよい。
【００４２】
また、個別意匠シート４２は、モジュール枠５０の表面、裏面、４つの側面を全て覆うものとして説明したが、モジュール枠５０の裏面は、マウント部２０の表面に必ず向かい合い、マウント部２０に内蔵される鉄板シート３０と磁石８０，８２によって吸引保持されるものである。つまり、意匠組合せパネル１０として見るときは、モジュール枠５０の裏面が目視されることはない。したがって、個別意匠シート４２は、少なくともモジュール枠５０の表面と４つの側面を覆うこととし、裏面を覆うことを省略することができる。この場合には、モジュール枠５０の裏面は、裏面シート４６のみで覆われることになる。この場合でも、モジュール枠５０の内部構造、磁石８０，８２が目視されることはない。
【００４３】
個別意匠シート４２は、個別意匠が印刷等によって表示されたシートで、素材としては、紙材を用いるのが好ましい。場合によっては、プラスチックシートを用いることができる。その厚さは、約０．１ｍｍから約０．３ｍｍ程度である。個別意匠シート４２は、表面シート４４と、裏面シート４６と、モジュール枠５０の４つの側面とを覆うように貼付される。貼付には、適当な接着材を用いることができる。
【００４４】
表面シート４４と裏面シート４６は、モジュール枠５０の内部構造が目視されないように覆うシート材である。かかるシート材としては、上部で無地の紙材、例えば褐色を有するクラフト紙等を用いることができる。表面シート４４と裏面シート４６をモジュール枠５０に貼付するには、適当な接着材を用いることができる。例えば、モジュール枠５０の表面に感熱接着材を塗布し、クラフト紙等をその上に置き、加熱プレス機によって加圧過熱することで、表面シート４４と裏面シート４６をしっかりとモジュール枠５０に貼付することができる。表面シート４４と裏面シート４６の厚さは、例えば、約０．１ｍｍから約０．２ｍｍ程度とすることができる。
【００４５】
図４は、モジュール枠５０の構造を説明する図である。図４の左側には、モジュール枠５０の裏面図が示され、右側にはモジュール枠５０の側面図が示されている。モジュール枠５０は、６つの厚み枠材を組み合わせて形成される枠体である。このうち、４つの厚み枠材５２，５４，５６，５８で構成される部分は、パネル枠体として一般的に用いられるもので、これを外形枠と呼ぶことができる。この外形枠は、同じ厚さを有する２種類の厚み枠材を額縁状に組み合わせて、それぞれをステープル等と呼ばれる接続釘材６０でしっかり固定接続して、外形が正方形の枠体を形成したものである。外形枠は、一般的にチップボードと呼ばれることがある。
【００４６】
各厚み枠材５２，５４，５６，５８の材質としては、木材を用いることができる。木材としては、マウント部２０のマウント枠２２と同様に、パネル用木材、例えばラワン材等を用いることができる。寸法の一例を述べると、厚さを約１０ｍｍ前後とし、平面図における正方形枠体の外形を、１５０ｍｍ×１５０ｍｍ程度とすることができる。勿論、厚さを約５ｍｍから約１５ｍｍ程度とし、正方形枠体の外形を、１００ｍｍ×１００ｍｍ、あるいは２００ｍｍ×２００ｍｍ、３００ｍｍ×３００ｍｍ等とすることもできる。また、図１に示したモジュールパネル４１のように、平面図で長方形の外形を有するものとできる。
【００４７】
モジュール枠５０の残る２つの厚み枠材は、磁石８０，８２を埋め込む埋込穴６８，７０を有する磁石用枠材６２，６４である。磁石用枠材６２，６４は、外形枠を形成するのに用いられる厚み枠材５２，５４，５６，５８と同じ材質で、同じ厚さの板材である。磁石用枠材６２，６４は、外形枠を形成するときに用いられるものと同様な接続釘材７２で、しっかりと外形枠に接続固定され、一体化される。
【００４８】
磁石用枠材６２，６４にそれぞれ設けられる埋込穴６８，７０は、磁石８０，８２が表面を露出させながら裏面と側面とがそれぞれ埋め込まれて固定される有底穴である。この埋込穴６８，７０の深さは、磁石８０，８２を埋め込んで接着材等で固定したときに、磁石８０，８２の表面が磁石用枠材６２，６４の表面から飛び出さないように設定される。また、この埋込穴６８，７０の内径は、磁石８０，８２の外径よりやや大きめで、磁石８０，８２を埋め込んで接着材等で固定できる程度の大きさに設定される。
【００４９】
磁石８０，８２は、背景シート３２と個別意匠シート４２と裏面シート４６とを介して鉄板シート３０に磁力で吸引したときに、モジュールパネル４０の質量を保持するのに十分な磁気吸引力を全体として発生できる大きさを有する。実際に１００ｍｍ×１００ｍｍ×１０ｍｍのモジュールパネル４０をラワン材で構成すると、その質量は約１００ｇある。３００ｍｍ×３００ｍｍ×１０ｍｍのモジュールパネルの場合は質量が約３００ｇとなる。そして、鉄板シート３０と磁石８０，８２の間の距離である背景シート３２と個別意匠シート４２と裏面シート４６の厚さの合計は、約０．３ｍｍから約０．６ｍｍ程度である。
【００５０】
代表的に、モジュールパネルの質量を３００ｇ、鉄板シート３０と磁石８０，８２の間の紙等の厚さの合計を０．４ｍｍとすると、磁石８０，８２の材質をネオジウム磁石として、直径約２０ｍｍ、厚さ約５ｍｍの大きさのものが必要であることが分かる。この磁石８０，８２は、厚さ方向にＮ，Ｓの着磁が行われ、表面にニッケルメッキが施され、市販品として入手可能なものである。なお、磁石は、２個以上用いる方が、１個で用いるよりも、マウント部２０にモジュールパネルを吸着させるときの保持の安定性が高い。
【００５１】
このように、磁石の大きさを、磁石と鉄板シートとの間に介在する紙等の厚さと、モジュールパネルの質量と、磁石材料の有する磁力の強さに応じて設定することで、マウント部２０からモジュールパネルが自重でずり落ちないようにすることができる。
【図面の簡単な説明】
【００５２】
【図１】本考案に係る実施の形態における意匠組合せパネルの全体構成を説明する図である。
【図２】本考案に係る実施の形態において、マウント部の構造を説明する図である。
【図３】本考案に係る実施の形態において、モジュールパネルの構造を説明する図である。
【図４】本考案に係る実施の形態において、モジュールパネルのモジュール枠の構造を説明する図である。
【符号の説明】
【００５３】
１０  意匠組合せパネル、１２  吊下部材、１３  吊下線材、１４  フック、１５  取付部、２０  マウント部、２２  マウント枠、２４  枠組空間、２６  引掛部材、３０  鉄板シート、３２  背景シート、４０，４１  モジュールパネル、４２  個別意匠シート、４４  表面シート、４６  裏面シート、５０  モジュール枠、５２，５４，５６，５８  枠材、６０，７２  接続釘材、６２，６４  磁石用枠材、６８，７０  埋込穴、８０，８２  磁石。
【図１】
0003145496.tif 000003
【図２】
0003145496.tif 000004
【図３】
0003145496.tif 000005
【図４】
0003145496.tif 000006